(57)【特許請求の範囲】
【請求項１】
開口部を有した筐体と、この筐体の開口部に設けられた外鍔と、前記筐体を天井材に保持する複数の取付保持部材とを有した器具本体を、前記天井材に設けられた取付穴に挿入し、前記外鍔を前記取付穴の表側取付部に当接させ、前記取付保持部材により前記器具本体を前記天井材に取り付ける埋込型のダウンライト器具の取付構造において、
中央に前記筐体が挿通可能な透孔が形成され、その透孔の周縁部分の一部が前記透孔から外縁にかけて、前記天井材の厚み以上の幅にわたり切除され開放された切除部を有する略Ｃ型形状に形成された取付補助板を設け、
前記天井材の取付穴表側より、前記取付補助板の前記切除部の一端から、前記透孔内へ前記取付補助板を誘導挿入し、前記取付補助板全体を前記天井材の前記取付穴を通過させることにより、前記天井材の前記取付穴の裏側取付部に前記取付補助板を載せ、
前記器具本体が有する複数の前記取付保持部材により、前記取付補助板の前記透孔の内側縁に前記器具本体を保持させ、
前記外鍔と前記取付補助板の間に前記天井材を挟持して、前記器具本体を前記取付穴に固定したことを特徴とするダウンライト器具の取付構造。
【請求項２】
前記取付補助板の前記切除部の一方の切断位置は、前記取付補助板と同心的に前記器具本体を配置した場合の前記外鍔の外周の接線に対し平行な平行線を、前記外鍔の内側方向に前記外鍔の幅の２倍より大きな距離で想定して、前記平行線に沿って切断され、
前記取付補助板の前記切除部の他方の切断位置は、前記平行線と前記透孔との交点から、前記取付補助板上で前記平行線に直交する線を想定し、前記取付補助板上で前記直交する線から前記天井材の厚み分離れた距離に切断補助線を想定して、前記切断補助線で切断され、
前記取付補助板が、互いに直交する前記各切断位置の切除部を有する請求項１記載のダウンライト器具の取付構造。
【請求項３】
前記取付保持部材は、弾性を有した取付ばねであり、前記取付ばねをその復帰力にて前記取付補助板の前記透孔の内側縁側に圧接させ、前記外鍔と前記取付補助板の間に前記天井材を挟持して、前記器具本体を前記取付穴に固定する請求項１または２記載のダウンライト器具の取付構造。
【請求項４】
前記取付補助板の前記天井材側の面には、前記天井材に対して固定する固定部材が設けられ、前記切除部は、前記透孔の内周の１８０°以下に切除されている請求項１２または２記載のダウンライト器具の取付構造。
【発明の詳細な説明】
【技術分野】
【０００１】
この発明は、天井埋込型のダウンライト器具を天井取付穴に設置したダウンライト器具の取付構造に関する。
【背景技術】
【０００２】
一般的に市販されている天井埋込型のダウンライト器具の構造および天井取付穴に設置する方法を、図９を基に説明する。器具本体１０は、筐体１２の開口部外縁全周に設けられた外鍔１４と、筐体１２の外側に上広がりの角度を有する一対の取付ばね１６ａ，１６ｂとを備えている。一方、天井材１８には、外鍔１４の外径よりも小さく、筐体１２の外径よりも大きく開口されている取付穴２０が設けられている。器具本体１０は、取付ばね１６ａ，１６ｂを筐体１２側に押して撓ませた状態で取付穴２０に押し込まれ、取付穴２０を通過した取付ばね１６ａ，１６ｂが外方向に復帰して取付が完了する。図９はこの状態を示す断面図であり、外鍔１４は取付穴の表側取付部１８ａに当接され、取付ばね１６ａ，１６ｂはその復帰力にて取付穴２０の内側縁に圧接し、器具本体１０は天井材１８に固定される。
【０００３】
また、特許文献１に開示されているように、板状の取付ばねを器具本体の上下方向に傾斜を有して形成し、外方向に付勢力を持たせることにより、取付ばねが取付穴の内側縁に圧接される強度を増し、器具本体をより強固に取り付けることができる構造が提案されている。
【０００４】
さらに、特許文献２に開示されているように、既設のダウンライト器具の取付穴に、外径の異なるダウンライト器具を設置するために、器具本体を所定のアダプターを介して取付穴に固定する構造も提案されている。
【特許文献１】実開昭６２−４０１８号公報
【特許文献２】特開２００４−２０７１９１号公報
【発明の開示】
【発明が解決しようとする課題】
【０００５】
しかし、図９に示すダウンライト器具にあっては、天井に最初に取付穴２０を設けるとき、所定の形状よりもやや歪んで開口されたり、切り口が直角でなくやや斜めに開口された場合、図９のように取付ばね１６ｂのように圧接が不十分となり、取付ばね１６ｂの復帰力による固定が充分になされず、器具本体１０は見かけ上天井材１８に固定されていても軽微な振動で容易に落下するおそれがあった。
【０００６】
さらに例えば、器具本体１０を保守交換のため取り外す場合、取付ばね１６ａ，１６ｂが有する復帰力と逆向きに、それを越える力を加えて器具本体１０を引き抜く必要がある。したがって、一般的に使用される石こう材等からなる天井材においては、取付ばね１６ａ，１６ｂが圧接されている取付穴２０の内側縁付近を破損、欠損させることがあった。特に、取付穴２０の内側縁が、取付ばねの復帰力が作用しなくなる角度を越えて欠損すると、新規のダウンライト器具を取り付けると、図９のように取付ばね１６ｂのように圧接が不十分となり、器具本体１０は見かけ上天井材１８に固定されていても軽微な振動で容易に落下するおそれがあった。
【０００７】
また、ダウンライト器具の取り付け等により、取付穴２０が激しく破損した状態でダウンライト器具を再度取り付けると、取付穴２０と器具本体１０の間に隙間が生じる場合がある。この場合、例えば見栄えや器具本体の固定強度を確保するために、シリコーンなどのシール材を、ダウンライト器具の外鍔１４と上天井材１８表面との隙間に塗布して、隙間の充填と取付穴２０部分の天井材１８接着の強化を図っている。しかし、次回の保守交換のときに、シール材で強固に固着した器具本体を取り外すため、取付穴部分を破壊しなくてはならず、その部分の天井材を張り替える作業が発生するという問題があった。また、張り替えにより継ぎ目や色の違いが目立つ場合は、上天井材１８全体の塗装を行う場合もあった。  さらに、特許文献１に開示された方法にあっては、構造の工夫によって取付ばねの取付穴の内側縁に対する圧接強度を増して固定強度を高めているが、取付穴の内側縁に直接力が加わっている点で、図９の一般的な構造と何ら異なるものではなく、同様の問題を有していた。
【０００８】
一方、特許文献２に開示された方法にあっては、天井取付金具を天井取付穴の裏側に乗せ置き、天井取付枠の取付バネを内側に押し曲げながら天井取付金具の角穴に挿入して組み付け、さらに機器本体を埋込穴に挿入して固定する、という多くの作業を要し、前述した一般的な構造のダウンライト器具に比べ、設置時の作業能率が非常に悪いものであった。また、天井取付枠および天井取付金具からなるアダプターの物理的強度を確保するため、アダプターに形成する器具本体の埋込穴は天井取付穴に対して充分ゆとりをもって小さく形成する必然性があり、すなわち、既設の取付穴に対して新規のダウンライト器具を設置する場合には、取付穴に対して充分小さな筐体を有するダウンライト器具しか選択できないという問題があった。
【０００９】
この発明は上記背景技術の問題点に鑑みて成されたもので、天井材の取付穴の内側縁の状態にかかわらず安定して確実にダウンライト器具を取り付けることができ、作業効率も良いダウンライト器具の取付構造を提供することを目的とする。
【課題を解決するための手段】
【００１０】
この発明は、開口部を有した筐体と、この筐体の開口部に設けられた外鍔と、前記筐体を天井材に保持する複数の取付保持部材とを有した器具本体を、前記天井材に設けられた取付穴に挿入し、前記外鍔を前記取付穴の表側取付部に当接させ、前記取付保持部材により前記器具本体を前記天井材に取り付ける埋込型のダウンライト器具の取付構造であって、中央に前記筐体が挿通可能な透孔が形成され、その透孔の周縁部分の一部が前記透孔から外縁にかけて、前記天井材の厚み以上の幅にわたり切除され開放された切除部を有する略Ｃ型形状に形成された取付補助板を設け、前記天井材の取付穴表側より、前記取付補助板の前記切除部の一端から、前記透孔内へ前記取付補助板を誘導挿入し、前記取付補助板全体を前記天井材の前記取付穴を通過させることにより、前記天井材の前記取付穴の裏側取付部に前記取付補助板を載せ、前記器具本体が有する複数の前記取付保持部材により、前記取付補助板の前記透孔の内側縁に前記器具本体を保持させ、前記外鍔と前記取付補助板の間に前記天井材を挟持して、前記器具本体を前記取付穴に固定するするダウンライト器具の取付構造である。
【００１１】
前記取付補助板の前記切除部の一方の切断位置は、前記取付補助板と同心的に前記器具本体を配置した場合の前記外鍔の外周の接線に対し平行な平行線を、前記外鍔の内側方向に前記外鍔の幅の２倍より大きな距離で想定して、前記平行線に沿って切断され、前記取付補助板の前記切除部の他方の切断位置は、前記平行線と前記透孔との交点から、前記取付補助板上で前記平行線に直交する線を想定し、前記取付補助板上で前記直交する線から前記天井材の厚み分離れた距離に切断補助線を想定して、前記切断補助線で切断され、前記取付補助板が互いに直交する前記各切断位置の切除部を有するものである。
【００１２】
前記取付保持部材は、弾性を有した取付ばねであり、前記取付ばねをその復帰力にて前記取付補助板の前記透孔の内側縁側に圧接させ、前記外鍔と前記取付補助板の間に前記天井材を挟持して、前記器具本体を前記取付穴に固定するものである。また、前記取付補助板の前記天井材側の面には、前記天井材に対して固定する固定部材が設けられ、前記切除部は、前記透孔の内周の１８０°以下に切除されているものである。
【発明の効果】
【００１３】
この発明のダウンライト器具の取付構造によれば、取付ばね等の取付保持部材は取付補助板に圧接されるので、器具本体の保守交換のときに天井材の取付穴の内側縁を破損させることがない。また、仮に取付穴の内側縁に破損があったり、取付穴が最初から所定の形状よりもやや歪んで開口されていたり、取付穴の切り口が最初から直角ではなくやや斜めに開口されていた場合であっても、天井材は取付補助板と筐体開口部の外鍔によって安定して挟持されるので、十分な固定強度をもってダウンライト器具の器具本体を保持することができる。
【００１４】
また、従来の一般的な設置作業に加えて、取付補助板を取付穴に挿入して取付部の裏側面に載せる、という簡単な作業が追加されるだけなので、設置時の作業能率はほとんど低下しない。さらに、ダウンライト器具の取り付けや取り外しによる、天井材の摩耗や破損を原因として、天井材を張替えなければならないという事態を回避することができる。
【発明を実施するための最良の形態】
【００１５】
以下、この発明のダウンライト器具の取付構造の第一の実施形態について、図１〜図４を基に説明する。まず、ダウンライト器具の器具本体１０は、筐体１２の開口部外縁全周に設けられた外鍔１４と、筐体１２の外側に上広がりの角度に設置された一対の取付ばね１６ａ，１６ｂを有し、中空の内部にランプ１５が取り付けられる。
【００１６】
取付補助板３０は、中央に筐体１２が挿通可能な透孔３２が形成され、前記天井材の厚み以上の幅ｗにわたって切除された切除部３４を有し、透孔３２の縁部が１８０°以上残された略Ｃ型形状に形成されている。一方、天井材１８には、外鍔１４の外径よりも小さく、筐体１２の外径よりも大きく開口された取付穴２０が設けられている。
【００１７】
次に、この実施形態のダウンライト器具の取付補助板の設置方法を説明する、まず取付補助板３０の天井材１８の裏面に対面する面に両面テープ２２を取り付けた後、図２に示すように、取付補助板３０を取付穴２０に挿入し、天井材１８の裏側取付部１８ｂに両面テープ２２介して載せ置き、取付補助板３０を天井材１８に固定する。なお、取付補助板３０の外形は取付穴２０の内径よりも大きく形成されているが、切除部３４は天井材１８の厚みよりも広い幅ｗを有するので、図２に示すように、切除部３４から透孔３２の方向に天井材１８を差し込むように誘導すれば、容易に取付穴２０に挿入することができる。
【００１８】
次に、図３に示すように、器具本体１０を、取付ばね１６ａ，１６ｂを筐体１２側に押して撓ませた状態で取付穴２０および透孔３２に押し込む。その際、器具本体１０は、取付ばね１６ａ，１６ｂが切除部３４と異なる位置に配置されるように、その向きを調節する。そして、取付穴２０および透孔３２を挿通した取付ばね１６ａ，１６ｂが外方向に復帰して取り付けが完了する。なお、図３はこの状態を示すものであり、外鍔１４は取付穴の表側取付部１８ａに当接され、取付ばね１６ａ，１６ｂは共にその復帰力にて透孔３２の内側縁の圧接部３６ａ，３６ｂに圧接され、器具本体１０は、天井材１８が外鍔３２と取付補助板３０に挟持されて取付穴２０に固定される。
【００１９】
この実施形態のダウンライト器具の取付構造によれば、取付ばね１６ａ，１６ｂが取付補助具３０に圧接され、器具本体１０の保守交換のときに天井材１８の取付穴２０の内側縁を破損させることがない。さらに、取付穴２０の内側縁に破損があったり、所定の形状よりもやや歪んで大きく開口されていたり、切り口が斜めに開口されていた場合であっても、取付補助板３０と筐体１２の開口部の外鍔によって安定して挟持されるので、十分な固定強度をもって器具本体を保持することができる。さらに、作業工数の増加は、最小限に抑えられ、設置時の作業能率はほとんど低下しない。
【００２０】
次に、この発明のダウンライト器具の取付構造の第二の実施形態について、図４を基に説明する。ここで、上記実施形態と同様の部材は同一の符号を付して説明を省略する。器具本体４０は、取付ばね１６ａ，１６ｂ，１６ｃの３つを有している。取付補助板４２は、取付ばね１６ａ，１６ｂ，１６ｃの全てが当接することができるように当接部３６ａ，３６ｂ，３６ｃを確保しつつ、天井材の取付穴へ挿入するための天井材の厚み以上の幅ｗを有する切除部３４が設けられている。したがって、器具本体４０においても、取付補助板４２を用いることにより、第一の実施形態で説明した設置方法と同様の方法で設置することができ、かつ、同様の作用効果を奏する。
【００２１】
次に、この発明のダウンライト器具の取付構造の第三の実施形態について、図５を基に説明する。ここで、上記実施形態と同様の部材は同一の符号を付して説明を省略する。器具本体５０は、筐体５２が略四角形に形成されている。取付補助板５４は、中央の透孔５６が略四角形であり、筐体５２が挿通可能に形成されている。したがって、器具本体５０においても、取付補助板５４を用いることにより、第一の実施形態で説明した設置方法と同様の方法で設置することができ、かつ、同様の作用効果を奏する。
【００２２】
なお、取付補助板は、天井材の裏側に取付可能であればよいので、取付補助板が弾性変形可能な場合、環状の部材にスリットを形成して、環が切れた状態にすればよい。天井材に載せる際には、スリット部分で段差を付けるように弾性変形させて、天井材の裏面側に一端部を挿入して回転させれば、天井材の裏面側に載せることができる。
【００２３】
一方、取付補助板が天井材の厚みほど弾性変形できない場合は、図６に示すように、少なくとも天井材１８の厚みｄの隙間が形成されるように切除部３４を形成する。切除部３４の形成方法は、図６（ａ）に示すような天井材１８と取付補助板３０を想定した場合、図６（ｂ）に示すように、任意の切断補助線ｈ１に垂直となる線を、仮想線で示す外鍔１４の外周の接線ｒ１とする。外鍔１４の外周と接線ｒ１の接点を点ｘとする。外周の接線ｒ１に外鍔１４の内側方向に平行線ｒ２を設ける。この平行線同士の距離は、例えば外鍔１４の幅の２倍の距離とする。これにより、切断補助線ｈ１とｒ２の交点を点ａとし、線ｒ２上を接点ｘから遠ざかる方向に、天井材厚dの距離離れた点を点ｂとする。この点ｂと外鍔１４の内周が接する様にする。この状態で、図６（ｃ）に示すように、外鍔１４と線ｈ１の点ａからｒ１方向に延した線分と、線ｒ２の点ａから点ｂ方向に延した線分を切断ラインとする。
【００２４】
切除面積を変更する場合は、図面上でｂ点をより上方へ移動したり、平行線の距離を外鍔１４の幅の２倍より大きくすると良い。加工性を良くするために、確定した切断ラインを含み、切除面積を大きくする方向に切断ラインを変更しても良い。ただし、ダウンライト器具の取付ばね等の部材が当接可能なように注意する。
【００２５】
その他、取付補助板３４の外形が円形の場合、例えば外鍔１４の外形と一致する場合も、同様に切除部３４を求めることができる。この場合は、図６（ｃ）に示す切除部３４のうち、外鍔１４の仮想線の内側部分を切除することになる。
【００２６】
また、図７に示すように、外鍔が正方形の場合、取付補助板５４も正方形であり、取付補助板５４の内周及び外周に内接する円を考えて、図６に示す場合と同様に切除部３４を求める。
【００２７】
さらに、開口が長方形の場合は、図８に示すように、外鍔５４の短辺側を接線ｒ１として、短辺の長さの正方形の外鍔を切断するように考え、図６の場合と同様に、切除部３４を決定する。
【００２８】
本発明は上記の実施形態に限定されるものではなく、取付補助板の形状は適宜設定可能である。さらに、取付補助板の周縁部分の切除部は、天井材の厚みよりも幅広であるとともに、透孔の内周の１８０°以下に切除されていれば良い。
【００２９】
また、取付保持部材は、取付ばね以外に、筐体から側方に延びた取付つめにより固定する形式のダウンライト器具にも利用することができるものである。また、取付補助板の外周形状や厚みは、取付穴に挿入可能であれば良い。また、取付補助板の材質は、鉄、アルミなどの金属が適しているが、器具本体を固定し続けることができる強度及び耐久性を有していれば、特に金属に限定するものではなく、樹脂でも良い。その他、取付補助板の外周形状や厚みは、取付穴に挿入可能であって、かつ、器具本体の重量や取付ばね等の取付保持部材の保持力に耐え、確実に固定状態を維持する強度を有するものであればよい。
【図面の簡単な説明】
【００３０】
【図１】この発明の第一の実施形態の取付補助板とダウンライト器具を示す斜視図である。
【図２】この実施形態の取付補助板の取付穴への挿入方法を示す斜視図である。
【図３】この実施形態の天井設置状態を示す断面図である。
【図４】この発明の第二の実施形態の取付補助板とダウンライト器具を示す上面図である。
【図５】この発明の第三の実施形態の取付補助板とダウンライト器具を示す上面図である。
【図６】この発明の実施形態において、取付補助板の切除部の設定方法を示す概要図である。
【図７】この発明の実施形態において、他の取付補助板の切除部の設定方法を示す概要図である。
【図８】この発明の実施形態において、他の取付補助板の切除部の設定方法を示す概要図である。
【図９】一般的なダウンライト器具の天井設置状態を示す断面図である。
【符号の説明】
【００３１】
１０  器具本体
１２  筐体
１４  外鍔
１６ａ，１６ｂ  取付ばね
１８  天井材
１８ａ  表側取付部
１８ｂ  裏側取付部
２０  取付穴
２２  両面テープ
３０  取付補助板
３２  透孔
３４  切除部
【図１】
0005097519.tif 000002
【図２】
0005097519.tif 000003
【図３】
0005097519.tif 000004
【図４】
0005097519.tif 000005
【図５】
0005097519.tif 000006
【図６】
0005097519.tif 000007
【図７】
0005097519.tif 000008
【図８】
0005097519.tif 000009
【図９】
0005097519.tif 000010